(57)【要約】      （修正有）【課題】端子間の接続作業が容易なコネクタを提供する。【解決手段】第１端子２０と第２端子３０を重ねてなる端子群２０，３０と、端子群２０，３０を収容する収容部１１と、端子群２０，３０を締結するための締結部材４０とを備えるコネクタ１であって、収容部１１には作業孔１２が設けられ、締結部材４０には、作業孔１２から収容部１１内に挿入可能な軸部４２と、軸部４２を作業孔１２に挿入することで作業孔１２を閉鎖可能なカバー部４１と、が一体的に設けられ、軸部４２には、第１端子２０に当接可能なロック部と、第２端子３０に当接可能な突き当て部とが設けられており、作業孔１２がカバー部４１によって閉鎖された状態における軸部４２は、端子群がロック部と突き当て部によって挟持される挟持位置と、ロック部が第１端子２０に当接しないことで端子群２０，３０が挟持されていない非挟持位置との間を回動可能とされている。【選択図】図２
2018190620.tif 000002
【特許請求の範囲】
【請求項１】
第１端子と第２端子を重ねてなる端子群と、前記端子群を収容する収容部と、前記端子群を締結するための締結部材とを備えるコネクタであって、
前記収容部には作業孔が設けられ、
前記締結部材には、前記作業孔から前記収容部内に挿入可能な軸部と、前記軸部を前記作業孔に挿入することで前記作業孔を閉鎖可能なカバー部と、が一体的に設けられ、
前記軸部には、前記第１端子に当接可能なロック部と、前記第２端子に当接可能な突き当て部とが設けられており、
前記作業孔が前記カバー部によって閉鎖された状態における前記軸部は、前記端子群が前記ロック部と前記突き当て部によって挟持される挟持位置と、前記ロック部が前記第１端子に当接しないことで前記端子群が挟持されていない非挟持位置との間を回動可能とされているコネクタ。
【請求項２】
前記端子は前記軸部を挿通可能な端子孔を備え、
前記端子孔の開口縁部には、前記ロック部と前記突き当て部によって挟持される当接片が設けられ、前記当接片に隣り合う位置には前記ロック部を挿通可能な逃がし孔が設けられている請求項１に記載のコネクタ。
【請求項３】
前記ロック部と前記突き当て部は、前記軸部の外周面において周方向にずれて配されている請求項１または請求項２に記載のコネクタ。
【発明の詳細な説明】
【技術分野】
【０００１】
本明細書によって開示される技術は、コネクタに関する。
【背景技術】
【０００２】
従来、車両などの機器に取り付けられた機器側コネクタに接続されるコネクタとして、例えば特許文献１のものが知られている。このコネクタは導体に接続される中継端子を備えるとともに、ハウジングにおいて中継端子の後方には作業孔が形成されている。コネクタの前方から機器側コネクタを嵌合させると、機器側コネクタのＬ字端子がコネクタのハウジング内に挿入され、その先端に設けられた丸端子部が中継端子の丸端子部と重ねて配置される。そして、工具の先端に固定ねじを保持しつつ作業孔から差し込んで両丸端子部の円孔に挿通させ、その前方に配された固定ナットに締め込むことで、両丸端子が導通可能に接続される。
【先行技術文献】
【特許文献】
【０００３】
【特許文献１】特開２０１４−２２２６６号公報
【発明の概要】
【発明が解決しようとする課題】
【０００４】
しかしこのコネクタにおいては、固定ねじを作業孔から固定ナットに挿入するまで工具の先端に不安定な状態で保持しなければならず、しかもその不安定な固定ねじの先端を固定ナットのねじ孔に挿入しなければならない。このため、固定ねじが固定ナットのねじ孔に挿入されるまでに工具の先端から脱落しやすく、作業が困難である。
【課題を解決するための手段】
【０００５】
本明細書に開示された技術に係るコネクタは、第１端子と第２端子を重ねてなる端子群と、前記端子群を収容する収容部と、前記端子群を締結するための締結部材とを備えるコネクタであって、前記収容部には作業孔が設けられ、前記締結部材には、前記作業孔から前記収容部内に挿入可能な軸部と、前記軸部を前記作業孔に挿入することで前記作業孔を閉鎖可能なカバー部と、が一体的に設けられ、前記軸部には、前記第１端子に当接可能なロック部と、前記第２端子に当接可能な突き当て部とが設けられており、前記作業孔が前記カバー部によって閉鎖された状態における前記軸部は、前記端子群が前記ロック部と前記突き当て部によって挟持される挟持位置と、前記ロック部が前記第１端子に当接しないことで前記端子群が挟持されていない非挟持位置との間を回動可能とされていることに特徴を有する。
【０００６】
この構成によれば、収容部に設けられた作業孔から締結部材の軸部を挿入し非挟持位置から挟持位置へ回動させるだけで、ロック部と突き当て部によって端子群を挟持すると同時にカバー部によって作業孔を閉鎖しロック部によってカバー部が開かないようにロックすることができるから、作業性に優れる。
【０００７】
前記端子は前記軸部を挿通可能な端子孔を備え、前記端子孔の開口縁部には、前記ロック部と前記突き当て部によって挟持される当接片が設けられ、前記当接片に隣り合う位置には前記ロック部を挿通可能な逃がし孔が設けられていてもよい。
【０００８】
前記ロック部と前記突き当て部は、前記軸部の外周面において周方向にずれて配されていてもよい。
【発明の効果】
【０００９】
本明細書に開示された技術によれば、端子間の接続作業が容易なコネクタを提供することができる。
【図面の簡単な説明】
【００１０】
【図１】実施形態のコネクタを示す上面図
【図２】図１のＡ−Ａ断面図
【図３】第１端子を示す上面図
【図４】締結部材を示す下方斜視図
【図５】端子の挟持状態を示す斜視図
【図６】図５の上面図
【図７】図６のＢ―Ｂ断面図
【図８】図６のＣ−Ｃ断面図
【図９】図６のＤ−Ｄ断面図
【発明を実施するための形態】
【００１１】
＜実施形態＞
本明細書に開示された技術に係る実施形態を、図１から図９によって説明する。なお以下の説明においては、また、複数の同一部材については一の部材にのみ符号を付し、他の部材の符号を省略することがある。
【００１２】
本実施形態のコネクタ１は、図２に示すように、ハウジング１０と、ハウジング１０内に重ねて収容された第１端子２０および第２端子３０と、第１端子２０および第２端子３０を締結する締結部材４０と、を備えて構成されている。
【００１３】
ハウジング１０は絶縁性の合成樹脂材から形成され、上方に開口された収容部１１を備えている。この収容部１１の内部空間に、第１端子２０と第２端子３０の端末部が互いに前後方向に逆向きにした状態で重ねて配されている。なお、収容部１１の開口は、両端子２０，３０に対して接続作業を行うための作業孔１２となっている。作業孔１２は、上面視で円形状をなしている。
【００１４】
第１端子２０には、図３に示すように、上下に貫通する締結孔２１が形成されている。締結孔２１は、真円状の端子孔２２と、その周囲に配された逃がし孔２３とを備えている。逃がし孔２３は、端子孔２２の周囲に複数設けられ、かつ、端子孔２２に連なって設けられている。端子孔２２の周縁部において隣り合う一対の逃がし孔２３の間には、当接片２４がそれぞれ設けられている。一対の当接片２４と一対の逃がし孔２３とは、端子孔２２の周方向に交互に並んで配されている。本実施形態の逃がし孔２３は、端子孔２２の開口縁を２ヵ所、全周の１／４周ずつ切り欠いて大径化した形状をなしている。両逃がし孔２３は、端子孔２２の中心点を挟んで点対称に配されている。言い換えると、端子孔２２の周方向において両逃がし孔２３の間に切り残された領域が当接片２４となっており、逃がし孔２３と当接片２４は１／４周ずつ周方向に交互に配されている。
【００１５】
第２端子３０は、第１端子２０と同様に、端子孔３２と、一対の逃がし孔３３とからなる締結孔３１が形成され、一対の逃がし孔３３の間には、当接片３４がそれぞれ設けられている。端子孔３２、逃がし孔３３、および当接片３４の構成は、それぞれ端子孔２２、逃がし孔２３、および当接片２４と同様の構成であるため、説明を省略する。第１端子２０および第２端子３０は、ハウジング１０の収容部１１内において、各逃がし孔２３と各逃がし孔３３とを上下に重ね、かつ各当接片２４と各当接片３４とを上下に重ねて配されている。
【００１６】
締結部材４０は絶縁性の合成樹脂材から形成され、図２および図４に示すように、円盤形状のカバー部４１と、カバー部４１の中央部から延出する軸部４２と、を一体に備えている。カバー部４１はハウジング１０の作業孔１２よりも大径のカバー本体４１Ａと、作業孔１２よりも若干小径の嵌入部４１Ｂとを備えている。嵌入部４１Ｂは、カバー本体４１Ａの下面（軸部４２の延出する面）に設けられている。軸部４２は中空形状をなし、先端が丸みを帯びている。
【００１７】
軸部４２の先端近傍には、Ｌ字状をなす２つのロック部４３が設けられている。各ロック部４３は、軸部４２の外周面から径方向外側に突出して設けられている。各ロック部４３は、軸部４２を中心として１８０°間隔で配されている。各ロック部４３はそれぞれ、軸部４２の周方向において全体の１／４周を占めている。
【００１８】
ロック部４３は、軸部４２の周方向に延びる水平突条部４４と、軸部４２の軸方向に延びる垂直突条部４５とを備えて構成されている。図２に示すように、水平突条部４４は、半球状をなす球状部４４Ａを備えている。球状部４４Ａは、水平突条部４４の周方向端部（垂直突条部４５との連結部分とは反対側の端部）における上面に設けられている。
【００１９】
軸部４２のうち水平突条部４４よりも上方（カバー側）は、ロック部４３が設けられた部分よりも外周面を大径化した大径部４２Ａとされている。大径部４２Ａの下端には２つの突き当て部４６が設けられている。突き当て部４６の下面はテーパ形状とされ、下方に向かって軸部４２の軸心側に向かう形状とされている。なお本実施形態においては、２つの突き当て部４６は２つの肉抜き部４７により分断されている。各突き当て部４６と各ロック部４３の球状部４４Ａとの間の寸法は、軸方向においては重ね合わされた第１端子２０および第２端子３０の厚みと同程度かこれよりやや小さめの寸法とされている。また、各突き当て部４６と各ロック部４３は軸部４２の外周面において周方向に交互に並んで配されている。なお各ロック部４３は上面視において各端子２０，３０の各逃がし孔２３，３３よりも若干小さく形成されている。突き当て部４６は、垂直突条部４５の上端部に連結されている。
【００２０】
以上の構成により、締結部材４０は図２に示すように、各端子２０，３０の締結孔２１，３１のうち、端子孔２２，３２には締結部材４０の軸部４２が挿通されているとともに、図５に示すように、逃がし孔２３，３３にはロック部４３の垂直突条部４５が側面を当接片２４，３４に当接または近接させた状態で挿通されている。図７に示すように、第１端子２０の下方にはロック部４３の水平突条部４４が配され、ロック部４３の球状部４４Ａが当接片２４の下面に当接している。第２端子３０の上面には、図８および図９に示すように、突き当て部４６が当接している。突き当て部４６の第２端子３０への当接位置は、軸部４２の周方向において球状部４４Ａの第１端子２０に対する当接位置からずれている。カバー部４１は、図２に示すように、嵌入部４１Ｂを作業孔１２内に嵌入させた状態で作業孔１２を閉止している。
【００２１】
次に、かかるコネクタ１の組み立て手順を説明する。
【００２２】
まず、第１端子２０をハウジング１０の収容部１１の内部空間に配置し、第２端子３０を収容部１１の内部空間に前方から挿入する。すると、第２端子３０が第１端子２０の上に重ねて配され、第２端子３０の各逃がし孔３３および各当接片３４が第１端子２０の各逃がし孔２３および各当接片２４にそれぞれ重ね合わされた状態で収容される。
【００２３】
次に、締結部材４０のカバー部４１を保持しつつ、軸部４２を作業孔１２から収容部１１内に垂直に差し込み、適宜回動させて水平突条部４４を第２端子３０の逃がし孔３３に位置合わせする。すると、締結部材４０は、水平突条部４４が各逃がし孔２３，３３に挿通されてその下方に配されるとともに、突き当て部４６が当接片３４に突き当たってそれより下方への変位が規制された位置に配される（非挟持位置）。この位置において、カバー部４１は作業孔１２の開口縁に当接して作業孔１２を塞いだ状態となる。
【００２４】
次に、締結部材４０を左回り（時計回りと逆回り）に回動させる。すると、水平突条部４４の球状部４４Ａが当接片２４の端部に一旦当接した後、これを乗り越えて当接片２４の下面に当接し、突き当て部４６との間に両端子２０，３０が挟持される。さらに締結部材４０を左回りに回動させると、水平突条部４４の球状部４４Ａが第１端子２０の当接片２４の下面に沿って摺動するとともに突き当て部４６が第２端子３０の上面に沿って摺動する。やがて、水平突条部４４の全体が第１端子２０の下方に配されて垂直突条部４５が当接片２４に突き当たり、締結部材４０がそれ以上の回動が規制された位置に配される（挟持位置）。
【００２５】
以上のように、本実施形態のコネクタ１によれば、収容部１１に設けられた作業孔１２から締結部材４０の軸部４２を挿入し非挟持位置から挟持位置へ回動させるだけで、ロック部４３と突き当て部４６によって端子群２０，３０を挟持すると同時に、カバー部４１によって作業孔１２を閉鎖しロック部４３によってカバー部４１が開かないようにロックするすることができるから、作業性に優れる。
【００２６】
＜他の実施形態＞
本明細書に開示された技術は上記記述及び図面によって説明した実施形態に限定されるものではなく、例えば次のような種々の態様も可能である。
【００２７】
（１）上記実施形態においては端子２０，３０にそれぞれ締結孔２１，３１を設けたが、締結孔は必ずしも必要ではない。例えば締結部材を先割れ形状に形成し、各々にロック部と突き当たり部を設けて、これを端子群の両側に配してから回動させて端子群の両側縁部を挟持する構成としてもよい。
【００２８】
（２）上記実施形態においては２つの肉抜き部により２つの突き当て部４６に分断しているが、肉抜き部はなくてもよく、例えば円環形状の突き当て部としてもよい。
【００２９】
（３）上記実施形態においては水平突条部４４に球状部４４Ａを設けているが、球状部はなくてもよい。例えば、球状部を設ける代わりに、突き当て部と水平突条部との軸部の軸方向における離間距離を、重ねて配された第１端子と第２端子との厚みより僅かに小さい程度とし、水平突条部の上面を直接第１端子２０に当接させてもよい。要は水平突条部が第１端子に押圧力を付与し、第１端子および第２端子が突き当て部に対して押圧されればよい。
【００３０】
（４）上記実施形態においては、締結部材４０の突き当て部４６および水平突条部４４は軸部４２の軸線に対して直交する配置とされているが、例えば突き当て部および水平突条部を軸線に対して左上がりになるように傾斜させてもよい。これにより、締結部材がコネクタ内において非挟持位置から挟持位置まで左回りに回動されると、軸部が相対的に端子面に対して下方に変位してカバー部を作業孔に向かって引き寄せるので、作業孔をより確実に閉鎖することができる。
【符号の説明】
【００３１】
１：  コネクタ
１０：  ハウジング
１１：  収容部
１２：  作業孔
２０：  第１端子
３０：  第２端子
２１，３１：  締結孔
２２，３２：  端子孔
２３，３３：  逃がし孔
２４，３４：  当接片
４０：  締結部材
４１：  カバー部
４２：  軸部
４３：  ロック部
４６：  突き当て部
【図１】
2018190620.tif 000003
【図２】
2018190620.tif 000004
【図３】
2018190620.tif 000005
【図４】
2018190620.tif 000006
【図５】
2018190620.tif 000007
【図６】
2018190620.tif 000008
【図７】
2018190620.tif 000009
【図８】
2018190620.tif 000010
【図９】
2018190620.tif 000011